(57)【特許請求の範囲】
【請求項１】
ユーザを認証する認証処理と、電気移動体の充電サービスにおける電力の取引処理とを携帯通信端末を介してサーバ装置に行わせる電気移動体用充電装置であって、
ユーザ情報を取得するユーザ情報取得手段と、
前記充電サービスの提供による充電結果を示す充電結果情報を取得する充電結果情報取得手段と、
前記ユーザ情報及び前記充電結果情報のいずれか一方の情報を第１暗号化方式で暗号化して第１暗号化情報を出力する出力手段と、
前記第１暗号化情報に基づいて前記サーバ装置が行う前記認証処理又は前記取引処理の結果を示す処理結果情報を入力する入力手段と、
前記ユーザ情報及び前記充電結果情報のいずれか一方の情報を第２暗号化方式で暗号化して第２暗号化情報を生成し、前記第２暗号化情報と前記処理結果情報との照合結果に基づいて前記充電サービスの提供の開始又は終了の制御を行う充電制御手段と、を備え、
前記認証処理において、
前記出力手段は、前記ユーザ情報を入力し、前記第１暗号化情報として第１暗号化ユーザ情報を出力し、
前記入力手段は、前記第１暗号化ユーザ情報に基づいて前記サーバ装置が行った認証処理の結果を示す認証結果情報を入力し、
前記充電制御手段は、前記ユーザ情報を前記第２暗号化方式で暗号化した第２暗号化ユーザ情報と前記認証結果情報との照合結果に基づいて前記充電サービスの提供を開始し、
前記取引処理において、
前記出力手段は、前記充電結果情報を入力し、前記第１暗号化情報として第１暗号化充電結果情報を出力し、
前記入力手段は、前記第１暗号化充電結果情報に基づいて前記サーバ装置が行った取引処理の結果を示す取引処理結果情報を入力し、
前記充電制御手段は、前記充電結果情報を前記第２暗号化方式で暗号化した第２暗号化充電結果情報と前記取引処理結果情報との照合結果に基づいて前記充電サービスの提供を終了する電気移動体用充電装置。
【請求項２】
前記出力手段は、無線ローカルエリアネットワークを介して、前記第１暗号化情報を前記携帯通信端末に送信する手段であり、
前記入力手段は、前記無線ローカルエリアネットワークを介して、前記処理結果情報を前記携帯通信端末から受信する手段である請求項１に記載の電気移動体用充電装置。
【請求項３】
請求項２に記載の電気移動体用充電装置と通信する携帯通信端末であって、
前記無線ローカルエリアネットワークを介して、前記電気移動体用充電装置から前記第１暗号化情報を受信する第１無線受信手段と、
前記無線ローカルエリアネットワークを介して、前記処理結果情報を前記電気移動体用充電装置に送信する第１無線送信手段と、
通信事業者のネットワークを介して、前記第１暗号化情報を前記サーバ装置に送信する第２無線送信手段と、
前記通信事業者のネットワークを介して、前記サーバ装置から前記処理結果情報を受信する第２無線受信手段と、を備えた携帯通信端末。
【請求項４】
請求項３に記載の携帯通信端末と通信するサーバ装置であって、
前記通信事業者のネットワークを介して、前記携帯通信端末から前記第１暗号化情報を受信する無線受信手段と、
前記第１暗号化情報を復号化する復号化手段と、
復号化した第１暗号化情報に基づいて前記処理結果情報を出力する処理結果情報出力手段と、
前記処理結果情報を前記第２暗号化方式で暗号化して第２暗号化処理結果情報を出力する暗号化手段と、
前記通信事業者のネットワークを介して、前記第２暗号化処理結果情報を前記携帯通信端末に送信する無線送信手段と、を備えたサーバ装置。
【請求項５】
請求項２に記載の電気移動体用充電装置と、請求項３に記載の携帯通信端末と、請求項４に記載のサーバ装置と、を備えた電気移動体用充電システム。
【請求項６】
前記出力手段は、前記第１暗号化情報を前記ユーザに表示する手段であり、
前記入力手段は、前記処理結果情報を前記ユーザが入力する手段である請求項１に記載の電気移動体用充電装置。
【請求項７】
請求項６に記載の電気移動体用充電装置と、
前記出力手段が表示した前記第１暗号化情報を入力する第１暗号化情報入力手段と、入力した前記第１暗号化情報を通信事業者のネットワーク経由で前記サーバ装置に送信する送信手段と、前記サーバ装置が送信する前記処理結果情報を前記通信事業者のネットワークを介して受信する受信手段と、受信した前記処理結果情報を表示する表示手段と、を有する携帯通信端末と、
前記通信事業者のネットワークを介して、前記第１暗号化情報を前記携帯通信端末から受信し、前記処理結果情報を前記携帯通信端末に送信するサーバ装置と、を備えた電気移動体用充電システム。
【請求項８】
ユーザを認証する認証処理ステップと、電気移動体の充電サービスにおける電力の取引処理ステップとを携帯通信端末を介してサーバ装置に行わせる電気移動体用充電装置において前記電気移動体に搭載されたバッテリを充電する電気移動体用充電方法であって、
ユーザ情報を取得するユーザ情報取得ステップと、
前記充電サービスの提供による充電結果を示す充電結果情報を取得する充電結果情報取得ステップと、
前記ユーザ情報及び前記充電結果情報のいずれか一方の情報を第１暗号化方式で暗号化して第１暗号化情報を出力する出力ステップと、
前記第１暗号化情報に基づいて前記サーバ装置が行う前記認証処理ステップ又は前記取引処理ステップの結果を示す処理結果情報を入力する入力ステップと、
前記ユーザ情報及び前記充電結果情報のいずれか一方の情報を第２暗号化方式で暗号化して第２暗号化情報を生成し、前記第２暗号化情報と前記処理結果情報との照合結果に基づいて前記充電サービスの提供の開始又は終了の制御を行う充電制御ステップと、を含み、
前記認証処理ステップにおいて、
前記出力ステップは、前記ユーザ情報を入力し、前記第１暗号化情報として第１暗号化ユーザ情報を出力し、
前記入力ステップは、前記第１暗号化ユーザ情報に基づいて前記サーバ装置が行った認証処理の結果を示す認証結果情報を入力し、
前記充電制御ステップは、前記ユーザ情報を前記第２暗号化方式で暗号化した第２暗号化ユーザ情報と前記認証結果情報との照合結果に基づいて前記充電サービスの提供を開始し、
前記取引処理ステップにおいて、
前記出力ステップは、前記充電結果情報を入力し、前記第１暗号化情報として第１暗号化充電結果情報を出力し、
前記入力ステップは、前記第１暗号化充電結果情報に基づいて前記サーバ装置が行った取引処理の結果を示す取引処理結果情報を入力し、
前記充電制御ステップは、前記充電結果情報を前記第２暗号化方式で暗号化した第２暗号化充電結果情報と前記取引処理結果情報との照合結果に基づいて前記充電サービスの提供を終了する電気移動体用充電方法。
【請求項９】
請求項８に記載の電気移動体用充電方法において、
前記出力ステップは、無線ローカルエリアネットワークを介して、前記第１暗号化情報を前記携帯通信端末に送信するステップであり、前記入力ステップは、前記無線ローカルエリアネットワークを介して、前記処理結果情報を前記携帯通信端末から受信するステップであって、
前記無線ローカルエリアネットワークを介して、前記電気移動体用充電装置から前記第１暗号化情報を受信する第１無線受信ステップと、
前記無線ローカルエリアネットワークを介して、前記処理結果情報を前記電気移動体用充電装置に送信する第１無線送信ステップと、
通信事業者のネットワークを介して、前記第１暗号化情報を前記サーバ装置に送信する第２無線送信ステップと、
前記通信事業者のネットワークを介して、前記サーバ装置から前記処理結果情報を受信する第２無線受信ステップと、をさらに含む電気移動体用充電方法。
【発明の詳細な説明】
【技術分野】
【０００１】
本発明は、例えば電気自動車に搭載されたバッテリを充電する電気移動体用充電システム並びにそれに含まれる電気移動体用充電装置、携帯通信端末及びサーバ装置並びに電気移動体用充電方法に関する。
【背景技術】
【０００２】
従来、この種の充電システムとしては、例えば、特許文献１に開示されたものが知られている。特許文献１記載の車両用充電システムは、電動車両に搭載された充電制御装置と、電動車両のバッテリを充電する充電装置と、ネットワークを介して充電装置に接続されたセンタサーバと、を備えている。この構成において、特許文献１記載の車両用充電システムは、充電装置が、充電制御装置から送信された車両固有コードを受信してネットワーク経由でセンタサーバに送り、センタサーバが、車両固有コードを用いて認証を行って充電の可否を判断するようになっている。
【先行技術文献】
【特許文献】
【０００３】
【特許文献１】特開２０１１−２４２９３号公報
【発明の概要】
【発明が解決しようとする課題】
【０００４】
しかしながら、特許文献１記載の車両用充電システムでは、充電装置とセンタサーバとがネットワークを介して通信する構成となっているので、ネットワークに障害が発生した場合には認証処理が行えないという課題があった。また、充電装置を設置する環境条件により充電装置をネットワークに接続できない場合には、特許文献１記載の車両用充電システムは適用できないという課題があった。
【０００５】
本発明は、従来の課題を解決するためになされたものであり、充電装置がネットワークに接続されていない場合でも認証処理を行うことができる電気移動体用充電システム並びにそれに含まれる電気移動体用充電装置、携帯通信端末及びサーバ装置並びに電気移動体用充電方法を提供することを目的とする。
【課題を解決するための手段】
【０００６】
本発明の電気移動体用充電装置は、ユーザを認証する認証処理と、電気移動体の充電サービスにおける電力の取引処理とを携帯通信端末を介してサーバ装置に行わせる電気移動体用充電装置であって、ユーザ情報を取得するユーザ情報取得手段と、前記充電サービスの提供による充電結果を示す充電結果情報を取得する充電結果情報取得手段と、前記ユーザ情報及び前記充電結果情報のいずれか一方の情報を第１暗号化方式で暗号化して第１暗号化情報を出力する出力手段と、前記第１暗号化情報に基づいて前記サーバ装置が行う前記認証処理又は前記取引処理の結果を示す処理結果情報を入力する入力手段と、前記ユーザ情報及び前記充電結果情報のいずれか一方の情報を第２暗号化方式で暗号化して第２暗号化情報を生成し、前記第２暗号化情報と前記処理結果情報との照合結果に基づいて前記充電サービスの提供の開始又は終了の制御を行う充電制御手段と、を備え、前記認証処理において、前記出力手段は、前記ユーザ情報を入力し、前記第１暗号化情報として第１暗号化ユーザ情報を出力し、前記入力手段は、前記第１暗号化ユーザ情報に基づいて前記サーバ装置が行った認証処理の結果を示す認証結果情報を入力し、前記充電制御手段は、前記ユーザ情報を前記第２暗号化方式で暗号化した第２暗号化ユーザ情報と前記認証結果情報との照合結果に基づいて前記充電サービスの提供を開始し、前記取引処理において、前記出力手段は、前記充電結果情報を入力し、前記第１暗号化情報として第１暗号化充電結果情報を出力し、前記入力手段は、前記第１暗号化充電結果情報に基づいて前記サーバ装置が行った取引処理の結果を示す取引処理結果情報を入力し、前記充電制御手段は、前記充電結果情報を前記第２暗号化方式で暗号化した第２暗号化充電結果情報と前記取引処理結果情報との照合結果に基づいて前記充電サービスの提供を終了する構成を有する。
【発明の効果】
【０００７】
本発明は、充電装置がネットワークに接続されていない場合でも認証処理を行うことができるという効果を有する電気移動体用充電システム並びにそれに含まれる電気移動体用充電装置、携帯通信端末及びサーバ装置並びに電気移動体用充電方法を提供することができるものである。
【図面の簡単な説明】
【０００８】
【図１】本発明に係る電気移動体用充電システムの第１実施形態におけるブロック構成図である。
【図２】本発明に係る電気移動体用充電システムの第１実施形態におけるフローチャートである。
【図３】本発明に係る電気移動体用充電システムの第１実施形態における通信回線確立処理のタイミングチャートである。
【図４】本発明に係る電気移動体用充電システムの第１実施形態において、タッチパネルに表示される表示画面の一例を示す図である。
【図５】本発明に係る電気移動体用充電システムの第１実施形態における認証処理のタイミングチャートである。
【図６】本発明に係る電気移動体用充電システムの第１実施形態における充電開始コードの一例を示す図である。
【図７】本発明に係る電気移動体用充電システムの第１実施形態における急速充電処理のタイミングチャートである。
【図８】本発明に係る電気移動体用充電システムの第１実施形態における取引処理のタイミングチャートである。
【図９】本発明に係る電気移動体用充電システムの第１実施形態における充電完了コードの一例を示す図である。
【図１０】本発明に係る電気移動体用充電システムの第２実施形態におけるブロック構成図である。
【図１１】本発明に係る電気移動体用充電システムの第２実施形態におけるフローチャートである。
【図１２】本発明に係る電気移動体用充電システムの第２実施形態における認証処理のタイミングチャートである。
【図１３】本発明に係る電気移動体用充電システムの第２実施形態における急速充電処理のタイミングチャートである。
【図１４】本発明に係る電気移動体用充電システムの第２実施形態における取引処理のタイミングチャートである。
【図１５】本発明に係る電気移動体用充電システムの第３実施形態におけるブロック構成図である。
【図１６】本発明に係る電気移動体用充電システムの第３実施形態における認証処理のタイミングチャートである。
【図１７】本発明に係る電気移動体用充電システムの第３実施形態における取引処理のタイミングチャートである。
【図１８】本発明に係る電気移動体用充電システムの第４実施形態におけるブロック構成図である。
【図１９】本発明に係る電気移動体用充電システムの第４実施形態における認証処理のタイミングチャートである。
【図２０】本発明に係る電気移動体用充電システムの第４実施形態における取引処理のタイミングチャートである。
【発明を実施するための形態】
【０００９】
以下、本発明の実施形態について図面を用いて説明する。なお、本発明に係る電気移動体用充電システムを、電気自動車に搭載されたバッテリを急速充電する急速充電システムに適用した例を挙げて説明する。
【００１０】
（第１実施形態）
まず、本実施形態における急速充電システムの構成について説明する。
【００１１】
図１に示すように、本実施形態における急速充電システム１は、急速充電器１０、携帯通信端末２０、サーバ装置３０を備え、電気自動車に対して充電サービスを提供するものである。この急速充電システム１は、本発明に係る電気移動体用充電システムを構成する。
【００１２】
急速充電器１０は、比較的短距離な無線通信、例えば無線ＬＡＮ（Local Area Network）規格に従った無線通信により携帯通信端末２０と通信するようになっている。携帯通信端末２０は、ＰＤＡ（Personal Data Assistance）が備える情報管理機能と携帯電話機が備える通話機能との両方を備えたスマートフォンと呼ばれるものである。この携帯通信端末２０は、例えば無線ＬＡＮ規格に従って急速充電器１０と通信する機能と、例えば第３世代と呼ばれる携帯電話の通信規格に従ってサーバ装置３０と通信する機能と、を有する。サーバ装置３０は、急速充電器１０を利用するユーザの認証処理や、充電サービスにおける電力の取引処理を行うようになっている。急速充電システム１は、認証処理及び取引処理を行うため、例えば公開鍵暗号方式と呼ばれる暗号方式を用いる。以下、各構成について説明する。
【００１３】
急速充電器１０は、ユーザ情報取得部１１、充電器情報取得部１２、コード生成部１３、充電情報取得部１４、第１暗号部１５、第２暗号部１６、無線通信部１７、照合部１８、充電制御装置１９を備える。この急速充電器１０は、本発明に係る電気移動体用充電装置を構成する。
【００１４】
ユーザ情報取得部１１は、急速充電器１０を利用するユーザの情報（例えばユーザＩＤ）を取得するようになっている。このユーザ情報取得部１１は、本発明に係るユーザ情報取得手段を構成する。
【００１５】
充電器情報取得部１２は、急速充電器１０の個体識別情報（例えば充電器ＩＤ）、急速充電器１０内で発生したエラー情報、内蔵の時計が出力する現在時刻情報等を充電器情報として取得するようになっている。なお、個体識別情報、エラー情報は、急速充電器１０内に設けられたメモリ（図示省略）に記憶されている。
【００１６】
コード生成部１３は、充電サービスの提供ごとに、１回しか使えない使い捨てのコードであるワンタイムコードを発生するようになっている。
【００１７】
充電情報取得部１４は、充電サービスの提供による充電結果を示す充電結果情報を取得するようになっている。充電結果情報は、充電時間、充電電力量、充電開始時刻、充電終了時刻、充電開始時電池残量、充電終了時電池残量、充電時に発生したエラー情報等を含む。なお、充電情報取得部１４は、本発明に係る充電結果情報取得手段を構成する。
【００１８】
第１暗号部１５は、サーバ装置３０から予め取得した第１の暗号鍵（公開鍵）を用いて入力情報を暗号化するようになっている。以下、第１の暗号鍵を用いて暗号化することを「第１暗号化方式」という。
【００１９】
第２暗号部１６は、サーバ装置３０から予め取得した第２の暗号鍵（公開鍵）を用いて入力情報を暗号化するようになっている。以下、第２の暗号鍵を用いて暗号化することを「第２暗号化方式」という。
【００２０】
無線通信部１７は、例えばＩＥＥＥ８０２．１１ｂ規格を用いたＷｉＦｉ（登録商標）方式により、携帯通信端末２０と無線通信を行うように構成されている。この無線通信部１７は、本発明に係る出力手段及び入力手段を構成する。
【００２１】
照合部１８は、第２暗号部１６の出力情報と、無線通信部１７の受信情報とを照合するようになっている。
【００２２】
充電制御装置１９は、図示を省略したが、電気自動車の受電コネクタに接続する給電コネクタ、受電コネクタと給電コネクタとをロックするロック駆動部、給電コネクタに接続された給電ケーブル、直流電流を出力するパワーユニット、ユーザが操作する操作パネル、各種情報を表示する表示パネル、各種ガイダンス音声を出力するスピーカ、装置内の全体的な制御を行う制御部等を有している。この充電制御装置１９は、本発明に係る充電制御手段を構成する。
【００２３】
携帯通信端末２０は、第１無線通信部２１、第２無線通信部２２、プログラムメモリ２３、タッチパネル２４、制御部２５を備える。
【００２４】
第１無線通信部２１は、例えばＷｉＦｉ方式の通信規格に従って急速充電器１０の無線通信部１７と通信するようになっている。この第１無線通信部２１は、本発明に係る第１無線受信手段及び第１無線送信手段を構成する。
【００２５】
第２無線通信部２２は、例えば広帯域符号分割多元接続（Ｗ−ＣＤＭＡ：Wideband-Code Division Multiple Access）方式の通信規格に従って、通信事業者の有するネットワーク５を介し、サーバ装置３０と通信するようになっている。この第２無線通信部２２は、本発明に係る第２無線受信手段及び第２無線送信手段を構成する。
【００２６】
プログラムメモリ２３は、携帯通信端末２０が急速充電器１０及びサーバ装置３０との各通信で用いる各アプリケーションのプログラムを予め記憶している。
【００２７】
タッチパネル２４は、各アプリケーションによる各種情報の入出力画面の表示機能、ユーザが指やペン等でタッチして入力した情報を取得する機能を有する。
【００２８】
制御部２５は、ＣＰＵ、ＲＯＭ、ＲＡＭ、インタフェース等を備え、ＲＯＭに記憶されたプログラムに従って動作するようになっている。また、制御部２５は、プログラムメモリ２３に記憶された各アプリケーションのプログラムを実行するようになっている。
【００２９】
サーバ装置３０は、無線通信部３１、復号部３２、管理情報蓄積部３３、充電器情報蓄積部３４、コード照合部３５、充電器情報更新部３６、暗号部３７、課金決済部３８を備える。
【００３０】
無線通信部３１は、例えばＷ−ＣＤＭＡ方式の通信規格に従って、ネットワーク５を介し、携帯通信端末２０と通信するようになっている。この無線通信部３１は、本発明に係る無線受信手段及び無線送信手段を構成する。
【００３１】
復号部３２は、第１暗号化方式によって暗号化された情報を、第１の暗号鍵に対応する復号鍵（秘密鍵）を用いて復号化するようになっている。この復号部３２は、本発明に係る復号化手段を構成する。
【００３２】
管理情報蓄積部３３は、急速充電システム１を利用する各ユーザのユーザ情報や、急速充電器１０を含む複数の急速充電器の情報を蓄積している。
【００３３】
充電器情報蓄積部３４は、急速充電器１０を含む複数の急速充電器を維持管理するための充電器管理情報を蓄積している。充電器管理情報は、急速充電器ごとの、開始コード、充電電力量、エラー情報等の履歴情報を含む。
【００３４】
コード照合部３５は、復号部３２が復号した情報と、管理情報蓄積部３３又は充電器情報蓄積部３４に蓄積された情報とを照合するようになっている。このコード照合部３５は、本発明に係る処理結果情報出力手段を構成する。
【００３５】
充電器情報更新部３６は、復号部３２が復号化した充電完了コードに含まれる充電器情報及び充電結果情報を参照し、充電器情報蓄積部３４内の充電器管理情報を更新するようになっている。
【００３６】
暗号部３７は、コード照合部３５による照合結果に基づき、所定の情報を第２暗号化方式によって暗号化して出力するようになっている。この暗号部３７は、本発明に係る暗号化手段を構成する。
【００３７】
課金決済部３８は、コード照合部３５による照合結果に基づいて、無線通信部３１及びネットワーク５を介してクレジット会社の所有する課金決済サーバ４１と通信を行い、課金決済のための所定の処理を行うようになっている。
【００３８】
次に、本実施形態における急速充電システム１の動作について説明する。急速充電システム１は、図２に示すように、通信回線確立処理（ステップＳ１）、認証処理（ステップＳ２）、急速充電処理（ステップＳ３）、取引処理（ステップＳ４）を行う。
【００３９】
最初に、通信回線確立処理（図２ステップＳ１）について、図１に示したブロック構成図及び図３に示すタイミングチャートに基づいて説明する。
【００４０】
急速充電器１０の無線通信部１７は、無線ＬＡＮ（例えばＷｉＦｉ）の電波を送信（ステップＳ１１）することにより通信エリアを形成する。この通信エリア内に携帯通信端末２０が入ると、無線ＬＡＮ選択の画面がタッチパネル２４に表示される（ステップＳ１２）。
【００４１】
タッチパネル２４に表示される無線ＬＡＮ選択の画面の一例を図４（ａ）に示す。図４（ａ）では、無線ＬＡＮ−Ａ（急速充電器１０が形成）を選択するボタン２４ａと、無線ＬＡＮ−Ｂを選択するボタン２４ｂと、無線ＬＡＮ−Ｃを選択するボタン２４ｃとがタッチパネル２４に表示されている。ボタン２４ａをユーザがタッチする操作により、急速充電器１０によって形成された無線ＬＡＮ−Ａが選択される（図３ステップＳ１３）。
【００４２】
その後、携帯通信端末２０から急速充電器１０に、ユーザ情報や、必要であれば暗証番号等の情報が送信され（ステップＳ１４）、両者間の通信確立処理が実行される（ステップＳ１５）。
【００４３】
急速充電器１０と携帯通信端末２０との間で通信が確立した後、ユーザが急速充電を行うためのアプリケーションを実行すると、例えば図４（ｂ）に示すような画面がタッチパネル２４に表示され、急速充電器１０の使用の意図が確認される。図４（ｂ）には、「急速充電器使用」を実行するボタン２４ｄ、「急速充電器使用」をキャンセルするキャンセルボタン２４ｅが表示されている。ユーザがボタン２４ｄを選択することにより、使用要求信号が急速充電器１０に送信される（図３ステップＳ１６）。
【００４４】
使用要求信号を受信した急速充電器１０は、サーバ装置３０を指定する信号を、携帯通信端末２０を介してサーバ装置３０に送信し（ステップＳ１７）、携帯通信端末２０とサーバ装置３０との間の通信確立処理が実行される（ステップＳ１８）。
【００４５】
サーバ装置３０は、ユーザ及び急速充電器１０の認証を行うための認証要求信号を、携帯通信端末２０を介して急速充電器１０に送信する（ステップＳ１９）。
【００４６】
次に、認証処理（図２ステップＳ２）について、図１に示したブロック構成図及び図５に示すタイミングチャートに基づいて説明する。
【００４７】
急速充電器１０の第１暗号部１５は、各種情報を取得する（ステップＳ２１）。すなわち、第１暗号部１５は、ユーザ情報取得部１１からユーザ情報、充電器情報取得部１２から充電器情報、コード生成部１３からワンタイムコードを取得する。
【００４８】
続いて、第１暗号部１５は、取得した各種情報から充電開始コードを生成する（ステップＳ２２）。
【００４９】
図６に充電開始コードの一例を示す。図６において、充電開始コード４２は、ユーザ情報４２ａ、充電器情報４２ｂ、ワンタイムコード４２ｃを含む。図示の例では、ユーザ情報４２ａは、ユーザＩＤで構成されている。また、充電器情報４２ｂは、充電器ＩＤ、充電器型式、充電器時刻、エラーコードの各情報を含む。
【００５０】
図５に戻り、第１暗号部１５は、第１暗号化方式によって充電開始コードを暗号化し（ステップＳ２３）、無線通信部１７に出力する。
【００５１】
一方、第２暗号部１６は、第１暗号部１５と同様に、ユーザ情報、充電器情報、ワンタイムコードを取得して充電開始コードを生成し、第２暗号化方式によって充電開始コードを暗号化し（ステップＳ２４）、照合部１８に出力する。
【００５２】
無線通信部１７は、携帯通信端末２０及びネットワーク５を介し、暗号化された充電開始コードをサーバ装置３０に送信する（ステップＳ２５）。
【００５３】
サーバ装置３０の無線通信部３１は、暗号化された充電開始コードを受信し、復号部３２に出力する。復号部３２は、暗号化された充電開始コードを復号鍵により復号化し（ステップＳ２６）、コード照合部３５に出力する。
【００５４】
コード照合部３５は、管理情報蓄積部３３から、ユーザ情報及び充電器情報を読み出し、充電開始コードに含まれるユーザ情報及び充電器情報と照合し（ステップＳ２７）、ユーザ及び充電器の認証に成功したか否かを判断する（ステップＳ２８）。ここで、コード照合部３５は、管理情報蓄積部３３から読み出したユーザ情報及び充電器情報と、充電開始コードに含まれるユーザ情報及び充電器情報とが一致した場合は、ユーザ及び充電器の認証に成功したと判断し、それ以外の場合はユーザ及び充電器の認証に成功しなかったと判断する。また、コード照合部３５は、急速充電器１０において所定のエラーが発生している場合も認証に成功しなかったと判断する。
【００５５】
ステップＳ２８において、コード照合部３５がユーザ及び充電器の認証に成功したと判断した場合は、充電器情報更新部３６は、充電開始コードに含まれる充電器情報を参照して、充電器情報蓄積部３４の蓄積情報を更新する（ステップＳ２９）。そして、暗号部３７は、充電開始コードを利用許可コードとして第２暗号化方式によって暗号化し（ステップＳ３０）、無線通信部３１に出力する。
【００５６】
無線通信部３１は、携帯通信端末２０を介し、暗号化された利用許可コードを急速充電器１０に送信する（ステップＳ３１）。
【００５７】
一方、ステップＳ２８において、コード照合部３５がユーザ及び充電器の認証に成功したと判断しなかった場合は、暗号部３７は、ユーザ情報又は充電器情報が不正であることを示すエラー情報を暗号化しないで無線通信部３１に出力する。無線通信部３１は、このエラー情報を前述のステップＳ３１と同様に急速充電器１０に送信する。
【００５８】
急速充電器１０において、照合部１８は、無線通信部１７が受信した、暗号化された利用許可コードと、ステップＳ２４において第２暗号部１６によって暗号化された充電開始コードとを照合する（ステップＳ３２）。ここで、サーバ装置３０においてユーザ及び充電器の認証に成功した場合は、利用許可コードと充電開始コードとが一致することとなり、充電制御装置１９が無線通信部１７経由で携帯通信端末２０に認証が成功したことを示す認証成功信号を送信し（ステップＳ３３）、急速充電処理（図２ステップＳ３）に進む。一方、サーバ装置３０においてユーザ及び充電器の認証に成功しなかった場合は、利用許可コードと充電開始コードとが一致せず、認証処理を終了し（ステップＳ３４）、充電サービスの提供を行わない。
【００５９】
次に、急速充電処理（図２ステップＳ３）について、図１に示したブロック構成図及び図７に示すタイミングチャートに基づいて説明する。なお、急速充電器１０の給電コネクタが、電気自動車の受電コネクタに接続された状態になっているものとする。
【００６０】
急速充電器１０においては、前述のステップＳ３２（図５参照）でユーザ及び充電器の認証に成功しており、充電制御装置１９により、充電開始画面が表示パネルに表示される（ステップＳ４１）。
【００６１】
一方、携帯通信端末２０においては、前述のステップＳ３３（図５参照）で認証成功信号を受信している。この認証成功信号に基づき、プログラムメモリ２３に記憶されたアプリケーションにより、充電開始画面がタッチパネル２４に表示される（ステップＳ４２）。すなわち、ユーザは、急速充電器１０及び携帯通信端末２０に表示された充電開始画面をいずれか一方を操作することができる。
【００６２】
タッチパネル２４に表示される充電開始画面の一例を図４（ｃ）に示す。図４（ｃ）において、タッチパネル２４には充電開始ボタン２４ｆと、充電開始をキャンセルするキャンセルボタン２４ｇとが表示されている。ユーザが充電開始ボタン２４ｆを選択すると、制御部２５の制御により、第１無線通信部２１は充電開始要求信号を急速充電器１０に送信する（ステップＳ４３）。
【００６３】
急速充電器１０の無線通信部１７が充電開始要求信号を受信すると、又はユーザが急速充電器１０の表示パネルに表示された充電開始画面の充電開始ボタンを操作すると、充電制御装置１９は、電気自動車側の充電装置と通信し、電気自動車及び急速充電器１０が急速充電を正常に実行しうる状態であるかを確認する（ステップＳ４４）。例えば、充電制御装置１９は、電気自動車及び急速充電器１０に対して絶縁試験を行う。このステップＳ４４において正常な状態であることが確認できなかった場合は、急速充電処理を行わず終了する。
【００６４】
ステップＳ４４において正常な状態であることが確認されると、充電制御装置１９は、充電サービスの提供を開始する。すなわち、充電制御装置１９は、給電コネクタを受電コネクタにロックし（ステップＳ４５）、ユーザが給電コネクタを受電コネクタから取り外せない状態にする。そして、充電制御装置１９は、電気自動車に対して電流を出力する（ステップＳ４６）。
【００６５】
充電制御装置１９は、急速充電中の充電情報を、無線通信部１７を介して携帯通信端末２０に所定時間間隔で送信する（ステップＳ４７）。携帯通信端末２０のタッチパネル２４は、受信した充電情報を表示する（ステップＳ４８）。
【００６６】
タッチパネル２４に表示される充電情報の一例を図４（ｄ）に示す。図４（ｄ）に示すように、タッチパネル２４には、充電時間情報２４ｈと、充電電力量情報２４ｉと、料金２４ｊとが充電情報として表示されている。これらの表示は、所定時間ごとに更新される。また、タッチパネル２４には、充電を中断するための充電中断ボタン２４ｋが表示されており、ユーザはこの充電中断ボタン２４ｋを選択することで急速充電を中断することができる。
【００６７】
図７に戻り、制御部２５は、充電中断ボタン２４ｋが選択されたか否かを判断する（ステップＳ４９）。ここで、充電中断ボタン２４ｋが選択されたと判断しなかった場合は、ステップＳ４８に戻り、タッチパネル２４は充電情報を表示する。
【００６８】
ステップＳ４９において、充電中断ボタン２４ｋが選択されたと判断した場合は、制御部２５は、充電を中断するための充電中断信号を、第１無線通信部２１を介して急速充電器１０に送信する（ステップＳ５０）。
【００６９】
一方、図４（ｄ）に例示した充電情報は、急速充電器１０の表示パネルにも表示される（ステップＳ５１）。そして、充電制御装置１９は、ユーザが表示パネルに表示された充電中断ボタンを選択したか否かを判断する（ステップＳ５２）。ここで、充電中断ボタンが選択されたと判断した場合は、ステップＳ５４に進み、充電中断ボタンが選択されたと判断しなかった場合は、ステップＳ５３に進む。
【００７０】
ステップＳ５３において、充電制御装置１９は、充電が終了したか否かを判断し、充電が終了したと判断した場合はステップＳ５４に進み、電流の出力を停止する（ステップＳ５４）。一方、充電制御装置１９は、充電が終了したと判断しなかった場合はステップＳ４６に戻る。
【００７１】
そして、充電制御装置１９は、充電が終了したことを示す充電終了メッセージを表示パネルに表示し（ステップＳ５５）、無線通信部１７を介し、充電が終了したことを示す充電終了信号を携帯通信端末２０に送信する（ステップＳ５６）。携帯通信端末２０が充電終了信号を受信した後、タッチパネル２４は充電終了メッセージを表示する（ステップＳ５７）。
【００７２】
次に、取引処理（図２ステップＳ４）について、図１に示したブロック構成図及び図８に示すタイミングチャートに基づいて説明する。
【００７３】
急速充電器１０の第１暗号部１５は、充電後において各種情報を取得する（ステップＳ６１）。すなわち、第１暗号部１５は、充電器情報取得部１２から充電器情報、充電情報取得部１４から充電結果情報を取得する。
【００７４】
続いて、第１暗号部１５は、取得した各種情報から充電完了コードを生成する（ステップＳ６２）。
【００７５】
図９に充電完了コードの一例を示す。図９において、充電完了コード４３は、充電器情報４３ａ、充電結果情報４３ｂを含む。充電器情報４３ａは、充電器ＩＤ、エラーコードを含む。充電結果情報４３ｂは、充電時間、充電電力量、充電開始時刻、充電終了時刻、充電開始時電池残量、充電終了時電池残量等の情報を含む。
【００７６】
図８に戻り、第１暗号部１５は、第１暗号化方式によって充電完了コードを暗号化し（ステップＳ６３）、無線通信部１７に出力する。
【００７７】
一方、第２暗号部１６は、第１暗号部１５と同様に、充電器情報、充電結果情報を取得して充電完了コードを生成し、第２暗号化方式によって充電完了コードを暗号化し（ステップＳ６４）、照合部１８に出力する。
【００７８】
無線通信部１７は、携帯通信端末２０を介し、暗号化された充電完了コードをサーバ装置３０に送信する（ステップＳ６５）。
【００７９】
サーバ装置３０の無線通信部３１は、暗号化された充電完了コードを受信し、復号部３２に出力する。復号部３２は、暗号化された充電完了コードを復号鍵により復号化し（ステップＳ６６）、コード照合部３５に出力する。
【００８０】
コード照合部３５は、管理情報蓄積部３３から充電器情報を読み出し、充電完了コードに含まれる充電器情報と照合し（ステップＳ６７）、充電器の認証に成功したか否かを判断する（ステップＳ６８）。ここで、コード照合部３５は、管理情報蓄積部３３から読み出した充電器情報と、充電完了コードに含まれる充電器情報とが一致した場合は、充電器の認証に成功したと判断し、それ以外の場合は充電器の認証に成功しなかったと判断する。
【００８１】
ステップＳ６８において、コード照合部３５が充電器の認証に成功したと判断した場合は、課金決済部３８は、無線通信部３１及びネットワーク５を介して課金決済サーバ４１と通信し、課金決済処理を行う（ステップＳ６９）。
【００８２】
充電器情報更新部３６は、充電完了コードに含まれる充電器情報及び充電結果情報を参照して、充電器情報蓄積部３４の充電器管理情報を更新する（ステップＳ７０）。そして、暗号部３７は、充電完了コードを取引完了コードとして第２暗号化方式によって暗号化し（ステップＳ７１）、無線通信部３１に出力する。
【００８３】
無線通信部３１は、携帯通信端末２０を介し、暗号化された取引完了コードを急速充電器１０に送信する（ステップＳ７２）。
【００８４】
一方、ステップＳ６８において、コード照合部３５が充電器の認証に成功したと判断しなかった場合は、暗号部３７は、充電器情報が不正であることを示すエラー情報を暗号化しないで無線通信部３１に出力する。無線通信部３１は、このエラー情報を前述のステップＳ７２と同様に急速充電器１０に送信する。
【００８５】
急速充電器１０において、照合部１８は、無線通信部１７が受信した、暗号化された取引完了コードと、ステップＳ６４において第２暗号部１６によって暗号化された充電完了コードとを照合する（ステップＳ７３）。ここで、サーバ装置３０において充電器の認証に成功した場合は、取引完了コードと充電完了コードとが一致することとなり、充電制御装置１９は、給電コネクタのロックを解除（ステップＳ７４）することにより、充電サービスの提供を終了する。
【００８６】
充電制御装置１９は、取引が完了した旨を示す取引完了メッセージを表示パネルに表示し（ステップＳ７５）、無線通信部１７を介し、携帯通信端末２０に取引が完了した旨を示す取引完了信号を送信する（ステップＳ７６）。携帯通信端末２０が取引完了信号を受信した後、タッチパネル２４は取引完了メッセージを表示する（ステップＳ７７）。
【００８７】
一方、サーバ装置３０において充電器の認証に成功しなかった場合は、取引完了コードと充電完了コードとが一致せず、充電制御装置１９は、認証不成功の原因調査をサービスマン等に実施させる旨のメッセージを表示パネルに表示する（ステップＳ７８）。
【００８８】
以上のように、本実施形態における急速充電システム１は、携帯通信端末２０を介し、急速充電器１０を利用するユーザの認証処理及び急速充電器１０の認証処理を行う構成としたので、急速充電器１０がネットワークに接続されていない場合でも認証処理を行うことができる。
【００８９】
なお、前述の実施形態において、認証処理及び取引処理を行うため、公開鍵暗号方式と呼ばれる暗号方式を例に挙げて説明したが、本発明はこれに限定されるものではなく、例えば共通鍵暗号方式を用いてもよい。
【００９０】
（第２実施形態）
まず、本発明に係る急速充電システムの第２実施形態における構成について説明する。
【００９１】
図１０に示すように、本実施形態における急速充電システム２は、急速充電器５０、携帯通信端末６０、サーバ装置３０を備える。この急速充電システム２は、本発明に係る電気移動体用充電システムを構成する。
【００９２】
本実施形態における急速充電システム２は、第１実施形態（図１参照）における急速充電器１０及び携帯通信端末２０の各構成を一部変更した急速充電器５０及び携帯通信端末６０を備えたものであり、第１実施形態と同様な構成には同一の符号を付し、重複する構成の説明は省略する。
【００９３】
急速充電器５０は、ユーザ情報取得部５１、コード表示部５２、コード入力部５３を備える。この急速充電器５０は、本発明に係る電気移動体用充電装置を構成する。
【００９４】
ユーザ情報取得部５１は、例えば、接触式又は非接触式のＩＣカードに対して、記録及び再生を行うＩＣカードリーダライタにより構成され、ＩＣカードに記録されているＩＣカード情報からユーザ情報を取得するようになっている。このユーザ情報取得部５１は、本発明に係るユーザ情報取得手段を構成する。
【００９５】
コード表示部５２は、例えば液晶ディスプレイで構成され、第１暗号部１５が第１暗号化方式により暗号化した暗号化コードを表示するようになっている。このコード表示部５２は、本発明に係る出力手段を構成する。
【００９６】
コード入力部５３は、例えばキーボード、タッチパネル等で構成され、ユーザの操作により暗号化コードを入力するものである。このコード入力部５３は、本発明に係る入力手段を構成する。
【００９７】
携帯通信端末６０は、サーバ装置と通信する無線通信部６１、サーバ装置３０との通信で用いるアプリケーションのプログラムを記憶するプログラムメモリ６２、各種情報を表示する表示部６３、ユーザが操作する操作部６４、装置全体の制御及びアプリケーションを実行する制御部６５と、を備える。ここで、無線通信部６１は、本発明に係る送信手段及び受信手段を構成する。また、表示部６３は、本発明に係る表示手段を構成する。また、操作部６４は、本発明に係る第１暗号化情報入力手段を構成する。
【００９８】
次に、本実施形態における急速充電システム２の動作について説明する。急速充電システム２は、図１１に示すように、認証処理（ステップＳ５）、急速充電処理（ステップＳ６）、取引処理（ステップＳ７）を行う。
【００９９】
最初に、認証処理（図１１ステップＳ５）について、図１０に示したブロック構成図及び図１２に示すタイミングチャートに基づいて説明する。なお、第１実施形態における認証処理（図５参照）と重複する説明は省略する。
【０１００】
急速充電器５０においてユーザ情報取得部５１は、ＩＣカードに記録されているＩＣカード情報からユーザ情報を取得する（ステップＳ８１）。
【０１０１】
ステップＳ２１〜Ｓ２３の処理の後、コード表示部５２は、第１暗号部１５が第１暗号化方式により暗号化した充電開始コードを表示する（ステップＳ８２）。充電開始コードは、例えば８桁程度の数字で表示される。
【０１０２】
ユーザは、携帯通信端末６０の操作部６４を操作して、サーバ装置３０との通信で用いるアプリケーションを起動し、アプリケーションの入力画面に、コード表示部５２に表示された充電開始コードを入力することにより、暗号化された充電開始コードが携帯通信端末６０に入力される（ステップＳ８３）。
【０１０３】
無線通信部６１は、入力された充電開始コードを、サーバ装置３０に送信する（ステップＳ２５）。
【０１０４】
サーバ装置３０において、ステップＳ２６〜Ｓ３１の処理が実行された後、携帯通信端末６０の表示部６３は、暗号化された利用許可コードを表示する（ステップＳ８４）。
【０１０５】
ユーザは、急速充電器５０のコード入力部５３を操作して、携帯通信端末６０の表示部６３に表示された利用許可コードを入力することにより、急速充電器５０に利用許可コードが入力される（ステップＳ８５）。
【０１０６】
照合部１８は、コード入力部５３が入力した、暗号化された利用許可コードと、ステップＳ２４において第２暗号部１６によって暗号化された充電開始コードとを照合する（ステップＳ３２）。ここで、サーバ装置３０においてユーザ及び充電器の認証に成功した場合は、利用許可コードと充電開始コードとが一致することとなり、急速充電処理（図１１ステップＳ６）に進む。
【０１０７】
次に、急速充電処理（図１１ステップＳ６）について、そのタイミングチャートを図１３に示す。図１３に示すように、本実施形態における急速充電器５０は、第１実施形態の急速充電処理（図７参照）における急速充電器１０に係る処理のみ行う。
【０１０８】
次に、取引処理（図１１ステップＳ７）について、図１０に示したブロック構成図及び図１４に示すタイミングチャートに基づいて説明する。
【０１０９】
急速充電器５０において、ステップＳ６１〜Ｓ６３の処理の後、コード表示部５２は、第１暗号部１５が第１暗号化方式により暗号化した充電完了コードを表示する（ステップＳ９１）。充電完了コードは、例えば８桁程度の数字で表示される。
【０１１０】
ユーザは、携帯通信端末６０の操作部６４を操作して、アプリケーションの入力画面に、コード表示部５２に表示された充電完了コードを入力することにより、暗号化された充電完了コードが携帯通信端末６０に入力される（ステップＳ９２）。
【０１１１】
無線通信部６１は、入力された充電完了コードを、サーバ装置３０に送信する（ステップＳ６５）。
【０１１２】
サーバ装置３０において、ステップＳ６６〜Ｓ７２の処理が実行された後、携帯通信端末６０の表示部６３は、暗号化された取引完了コードを表示する（ステップＳ９３）。
【０１１３】
ユーザは、急速充電器５０のコード入力部５３を操作して、携帯通信端末６０の表示部６３に表示された取引完了コードを入力することにより、急速充電器５０に取引完了コードが入力される（ステップＳ９４）。
【０１１４】
照合部１８は、コード入力部５３が入力した、暗号化された取引完了コードと、ステップＳ６４において第２暗号部１６によって暗号化された充電完了コードとを照合する（ステップＳ７３）。ここで、サーバ装置３０においてユーザ及び充電器の認証に成功した場合は、取引完了コードと充電完了コードとが一致することとなり、ステップＳ７４〜Ｓ７５の処理を行って取引処理を終了する。
【０１１５】
以上のように、本実施形態における急速充電システム２は、携帯通信端末６０を介し、急速充電器５０を利用するユーザの認証処理及び急速充電器５０の認証処理を行う構成としたので、急速充電器５０がネットワークに接続されていない場合でも認証処理を行うことができる。
【０１１６】
（第３実施形態）
まず、本発明に係る急速充電システムの第３実施形態における構成について説明する。
【０１１７】
図１５に示すように、本実施形態における急速充電システム３は、急速充電器７０、携帯通信端末２０、サーバ装置８０を備える。この急速充電システム３は、本発明に係る電気移動体用充電システムを構成する。
【０１１８】
本実施形態における急速充電システム３は、第１実施形態（図１参照）における急速充電器１０及びサーバ装置３０の各構成を一部変更したものである。したがって、第１実施形態と同様な構成には同一の符号を付し、重複する構成の説明は省略する。
【０１１９】
具体的には、急速充電器７０は、第１実施形態の第１暗号部１５及び第２暗号部１６を廃止して、充電コード生成部７１を備えたものである。すなわち、急速充電器７０は、第１実施形態とは異なり、各種情報を暗号化しないで携帯通信端末２０に送信するものである。この急速充電器７０は、本発明に係る電気移動体用充電装置を構成する。
【０１２０】
充電コード生成部７１は、ユーザ情報取得部１１からユーザ情報、充電器情報取得部１２から充電器情報、コード生成部１３からワンタイムコード、充電情報取得部１４から充電結果情報を取得し、充電開始コードや充電完了コードを生成するようになっている。
【０１２１】
サーバ装置８０は、第１実施形態の復号部３２及び暗号部３７を廃止したものである。すなわち、サーバ装置８０は、受信した情報を復号化せず、また、送信する情報を暗号化しない構成である。
【０１２２】
次に、本実施形態における急速充電システム３の動作について説明する。急速充電システム３の動作は、第１実施形態の動作（図２参照）に対して、認証処理（ステップＳ２）及び取引処理（ステップＳ４）が異なる。
【０１２３】
まず、認証処理（図２ステップＳ２）について、図１５に示したブロック構成図及び図１６に示すタイミングチャートに基づいて説明する。なお、第１実施形態における認証処理（図５参照）と重複する説明は省略する。
【０１２４】
充電コード生成部７１は、各種情報を取得する（ステップＳ１０１）。すなわち、充電コード生成部７１は、ユーザ情報取得部１１からユーザ情報、充電器情報取得部１２から充電器情報、コード生成部１３からワンタイムコードを取得する。
【０１２５】
続いて、充電コード生成部７１は、取得した各種情報から充電開始コードを生成し（ステップＳ１０２）、無線通信部１７に出力する。なお、充電開始コードは、図６に例示した各種情報を含むが、第１実施形態とは異なり暗号化されない。
【０１２６】
無線通信部１７は、携帯通信端末２０及びネットワーク５を介し、充電開始コードをサーバ装置８０に送信する（ステップＳ１０３）。
【０１２７】
サーバ装置８０において、ステップＳ２７〜Ｓ２９の処理後、無線通信部３１は、携帯通信端末２０を介し、利用許可コードを急速充電器７０に送信する（ステップＳ１０４）。なお、利用許可コードは暗号化されないで送信される。
【０１２８】
次に、取引処理（図２ステップＳ４）について、図１５に示したブロック構成図及び図１７に示すタイミングチャートに基づいて説明する。なお、第１実施形態における取引処理（図８参照）と重複する説明は省略する。
【０１２９】
充電コード生成部７１は、各種情報を取得する（ステップＳ１０５）。すなわち、充電コード生成部７１は、充電器情報取得部１２から充電器情報、充電情報取得部１４から充電結果情報を取得する。
【０１３０】
続いて、充電コード生成部７１は、取得した各種情報から充電完了コードを生成する（ステップＳ１０６）。なお、充電完了コードは、図９に例示した各種情報を含むが、第１実施形態とは異なり暗号化されない。
【０１３１】
無線通信部１７は、携帯通信端末２０及びネットワーク５を介し、充電完了コードをサーバ装置８０に送信する（ステップＳ１０７）。
【０１３２】
サーバ装置８０において、ステップＳ６７〜Ｓ７０の処理後、無線通信部３１は、携帯通信端末２０を介し、取引完了コードを急速充電器７０に送信する（ステップＳ１０８）。なお、取引完了コードは暗号化されないで送信される。
【０１３３】
以上のように、本実施形態における急速充電システム３は、充電開始コード、利用許可コード、充電完了コード及び取引完了コードを暗号化しないで送受信する構成としたので、第１実施形態よりも簡易な構成で認証処理を行うことができる。
【０１３４】
なお、前述の実施形態において、充電開始コード、利用許可コード、充電完了コード及び取引完了コードの全てを暗号化しない構成を例に挙げて説明したが、本発明はこれに限定されるものではなく、これらのうちの一部を暗号化して送受信する構成としてもよい。
【０１３５】
（第４実施形態）
まず、本発明に係る急速充電システムの第４実施形態における構成について説明する。
【０１３６】
図１８に示すように、本実施形態における急速充電システム４は、急速充電器９０、携帯通信端末６０、サーバ装置８０を備える。この急速充電システム４は、本発明に係る電気移動体用充電システムを構成する。
【０１３７】
本実施形態における急速充電システム４は、第２実施形態（図１０参照）における急速充電器５０及びサーバ装置３０の各構成を一部変更したものである。したがって、第２実施形態と同様な構成には同一の符号を付し、重複する構成の説明は省略する。
【０１３８】
具体的には、急速充電器９０は、第２実施形態の第１暗号部１５及び第２暗号部１６を廃止して、充電コード生成部７１を備えたものである。すなわち、急速充電器９０は、第２実施形態とは異なり、各種情報を暗号化しないものである。この急速充電器９０は、本発明に係る電気移動体用充電装置を構成する。なお、充電コード生成部７１は、第３実施形態と同様であるので構成の説明を省略する。
【０１３９】
サーバ装置８０は、第１実施形態の復号部３２及び暗号部３７を廃止したものである。すなわち、サーバ装置８０は、受信した情報を復号化せず、また、送信する情報を暗号化しない構成である。なお、サーバ装置８０は、第３実施形態と同様であるので構成の説明を省略する。
【０１４０】
次に、本実施形態における急速充電システム４の動作について説明する。急速充電システム４の動作は、第２実施形態の動作（図１１参照）に対して、認証処理（ステップＳ５）及び取引処理（ステップＳ７）が異なる。
【０１４１】
まず、認証処理（図１１ステップＳ５）について、図１８に示したブロック構成図及び図１９に示すタイミングチャートに基づいて説明する。なお、第２実施形態における認証処理（図１２参照）と重複する説明は省略する。
【０１４２】
充電コード生成部７１は、各種情報を取得する（ステップＳ１１１）。すなわち、充電コード生成部７１は、ユーザ情報取得部５１からユーザ情報、充電器情報取得部１２から充電器情報、コード生成部１３からワンタイムコードを取得する。
【０１４３】
続いて、充電コード生成部７１は、取得した各種情報から充電開始コードを生成し（ステップＳ１１２）、コード表示部５２に出力する。なお、充電開始コードは、図６に例示した各種情報を含むが、第２実施形態とは異なり暗号化されない。
【０１４４】
ステップＳ８２〜Ｓ８３の処理の後、携帯通信端末６０の無線通信部６１は、ネットワーク５を介し、充電開始コードをサーバ装置８０に送信する（ステップＳ１１３）。
【０１４５】
サーバ装置８０において、ステップＳ２７〜Ｓ２９の処理後、無線通信部３１は、利用許可コードを携帯通信端末６０に送信する（ステップＳ１１４）。なお、利用許可コードは暗号化されないで送信される。
【０１４６】
次に、取引処理（図１１ステップＳ７）について、図１８に示したブロック構成図及び図２０に示すタイミングチャートに基づいて説明する。なお、第２実施形態における取引処理（図１４参照）と重複する説明は省略する。
【０１４７】
充電コード生成部７１は、各種情報を取得する（ステップＳ１２１）。すなわち、充電コード生成部７１は、充電器情報取得部１２から充電器情報、充電情報取得部１４から充電結果情報を取得する。
【０１４８】
続いて、充電コード生成部７１は、取得した各種情報から充電完了コードを生成し（ステップＳ１２２）、コード表示部５２に出力する。なお、充電完了コードは、図９に例示した各種情報を含むが、第２実施形態とは異なり暗号化されない。
【０１４９】
ステップＳ９１〜Ｓ９２の処理の後、携帯通信端末６０の無線通信部６１は、ネットワーク５を介し、充電完了コードをサーバ装置８０に送信する（ステップＳ１２３）。
【０１５０】
サーバ装置８０において、ステップＳ６７〜Ｓ７０の処理後、無線通信部３１は、取引完了コードを携帯通信端末６０に送信する（ステップＳ１２４）。なお、取引完了コードは暗号化されないで送信される。
【０１５１】
以上のように、本実施形態における急速充電システム４は、充電開始コード、利用許可コード、充電完了コード及び取引完了コードを暗号化しないで送受信する構成としたので、第２実施形態よりも簡易な構成で認証処理を行うことができる。
【０１５２】
なお、前述の実施形態において、充電開始コード、利用許可コード、充電完了コード及び取引完了コードの全てを暗号化しない構成を例に挙げて説明したが、本発明はこれに限定されるものではなく、これらのうちの一部を暗号化して送受信する構成としてもよい。
【符号の説明】
【０１５３】
１、２、３、４  急速充電システム（電気移動体用充電システム）
５  ネットワーク
１０、５０、７０、９０  急速充電器（電気移動体用充電装置）
１１、５１  ユーザ情報取得部（ユーザ情報取得手段）
１２  充電器情報取得部
１３  コード生成部
１４  充電情報取得部（充電結果情報取得手段）
１５  第１暗号部
１６  第２暗号部
１７  無線通信部（出力手段、入力手段）
１８  照合部
１９  充電制御装置（充電制御手段）
２０、６０  携帯通信端末
２１  第１無線通信部（第１無線受信手段、第１無線送信手段）
２２  第２無線通信部（第２無線受信手段、第２無線送信手段）
２３、６２  プログラムメモリ
２４  タッチパネル
２４ａ  ボタン
２４ｂ  ボタン
２４ｃ  ボタン
２４ｄ  ボタン
２４ｅ、２４ｇ  キャンセルボタン
２４ｉ  充電電力量情報
２４ｆ  充電開始ボタン
２４ｈ  充電時間情報
２４ｋ  充電中断ボタン
２４ｊ  料金
２５、６５  制御部
３０、８０  サーバ装置
３１  無線通信部（無線受信手段、無線送信手段）
３２  復号部（復号化手段）
３３  管理情報蓄積部
３４  充電器情報蓄積部
３５  コード照合部（処理結果情報出力手段）
３６  充電器情報更新部
３７  暗号部（暗号化手段）
３８  課金決済部
４１  課金決済サーバ
４２  充電開始コード
４２ａ  ユーザ情報
４２ｂ、４３ａ  充電器情報
４２ｃ  ワンタイムコード
４３  充電完了コード
４３ｂ  充電結果情報
５２  コード表示部（出力手段）
５３  コード入力部（入力手段）
６１  無線通信部（送信手段、受信手段）
６３  表示部（表示手段）
６４  操作部（第１暗号化情報入力手段）
７１  充電コード生成部
【図１】
0005818563.tif 000002
【図２】
0005818563.tif 000003
【図３】
0005818563.tif 000004
【図４】
0005818563.tif 000005
【図５】
0005818563.tif 000006
【図６】
0005818563.tif 000007
【図７】
0005818563.tif 000008
【図８】
0005818563.tif 000009
【図９】
0005818563.tif 000010
【図１０】
0005818563.tif 000011
【図１１】
0005818563.tif 000012
【図１２】
0005818563.tif 000013
【図１３】
0005818563.tif 000014
【図１４】
0005818563.tif 000015
【図１５】
0005818563.tif 000016
【図１６】
0005818563.tif 000017
【図１７】
0005818563.tif 000018
【図１８】
0005818563.tif 000019
【図１９】
0005818563.tif 000020
【図２０】
0005818563.tif 000021